(57)【要約】【課題】  洗浄装置を煙道内の任意箇所に吊り下げることができ、かつその吊り下げ位置も自由に変えることができる塔状構造物解体用揚重梁およびその設置方法を提供することである。【解決手段】  塔状構造物解体用揚重梁１は、塔状構造物６の頂部近傍に作業床３が設置され、該作業床３に支持マスト４が塔状構造物の頂部より上に突出し、かつ塔状構造物６を挟むようにして対向立設され、この支持マスト４の頂部間には旋回梁５が塔状構造物６を横切って設置され、該旋回梁５が一方の支持マスト４を中心に旋回自在になっている。【選択図】図１
2006090069.tif 000002
【特許請求の範囲】
【請求項１】
中空の搭状構造物の頂部近傍に作業床が設置され、該作業床に支持マストが搭状構造物の頂部より上に突出し、かつ搭状構造物を挟むようにして対向立設され、この支持マストの頂部間には旋回梁が搭状構造物を横切って設置され、該旋回梁が一方の支持マストを中心に旋回自在であることを特徴とする搭状構造物解体用揚重梁。
【請求項２】
旋回梁にホイストが移動自在に吊り下げられたことを特徴とする請求項１に記載の搭状構造物解体用揚重梁。
【請求項３】
中空の搭状構造物を挟んだ位置の地盤に昇降マストを対向して組み立て、該昇降マストの頂部近傍に作業床を設置し、該作業床の上面に搭状構造物を挟むようにして支持マストを対向させて立設し、該支持マストの一方には旋回自在な旋回梁を設置し、該旋回梁を搭状構造物と接触しない位置に固定した後、前記の昇降マストを上側に伸ばして、作業床を支持マストが搭状構造物の頂部から突出する位置まで上昇させた後、旋回梁を旋回させてその先端を他方の支持マストに設置することを特徴とする搭状構造物解体用揚重梁の設置方法。
【発明の詳細な説明】
【技術分野】
【０００１】
本発明は煙突などの搭状構造物解体用揚重梁およびその設置方法に関するものである。
【背景技術】
【０００２】
近年、高層化された煙突などの搭状構造物の内面を洗浄する洗浄装置としては、洗浄作業者の健康面と安全面を考慮した、特開２００４−１７４３７８号の発明が知られている。この洗浄装置は内筒空間内に吊り下げられた装置本体と、内筒空間の直径に合わせてリンク長を変更できるサポートリンクアームと、内筒内面を洗浄する洗浄リンクアームとから構成され、この洗浄リンクアーム先端の高圧噴射部から噴射した高圧水で内筒面に付着した汚染物を除去するものである。
【特許文献１】特開２００４−１７４３７８号公報
【発明の開示】
【発明が解決しようとする課題】
【０００３】
しかし、上記の洗浄装置は装置本体を内筒空間内に地上から大型クレーンで吊り下げていたため、任意の箇所に吊り下げることが困難であり、また吊り下げた位置を自由に変えることも困難であった。
【０００４】
本発明は、上記のような問題に鑑みてなされたものであり、その目的は、洗浄装置を煙道内の任意箇所に吊り下げることができ、かつその吊り下げ位置も自由に変えることができる搭状構造物解体用揚重梁およびその設置方法を提供することである。
【課題を解決するための手段】
【０００５】
以上の課題を解決するための搭状構造物解体用揚重梁は、中空の搭状構造物の頂部近傍に作業床が設置され、該作業床に支持マストが搭状構造物の頂部より上に突出し、かつ搭状構造物を挟むようにして対向立設され、この支持マストの頂部間には旋回梁が搭状構造物を横切って設置され、該旋回梁が一方の支持マストを中心に旋回自在であることを特徴とする。また旋回梁にホイストが移動自在に吊り下げられたことを含むものである。
【０００６】
また搭状構造物解体用揚重梁の設置方法は、中空の搭状構造物を挟んだ位置の地盤に昇降マストを対向して組み立て、該昇降マストの頂部近傍に作業床を設置し、該作業床の上面に搭状構造物を挟むようにして支持マストを対向させて立設し、該支持マストの一方には旋回自在な旋回梁を設置し、該旋回梁を搭状構造物と接触しない位置に固定した後、前記の昇降マストを上側に伸ばして、作業床を支持マストが搭状構造物の頂部から突出する位置まで上昇させた後、旋回梁を旋回させてその先端を他方の支持マストに設置することを特徴とする。
【発明の効果】
【０００７】
旋回自在な旋回梁から煙道内に洗浄装置を吊り下げることができるので、該洗浄装置を煙道内の任意箇所に吊り下げることができ、かつその吊り下げ位置を自由に変えることができる。また旋回梁を中空の搭状構造物に接触させずに搭状構造物の頂部まで上げ、これを搭状構造物の頂部に上げた後は搭状構造物を跨いで設置することができる。
【発明を実施するための最良の形態】
【０００８】
以下、本発明の搭状構造物解体用揚重梁（以下揚重梁という）の実施の形態を図面に基づいて説明する。この揚重梁１は、図１に示すように、昇降マスト２の頂部に設置された作業床３と、この作業床３の上面に立設された支持マスト４と、この支持マスト４の一方に旋回自在に取り付けられた旋回梁５とから構成されている。
【０００９】
この昇降マスト２は、煙突などの搭状構造物６を挟んだ位置の地盤７に対向して組み立てられたものであり、適宜長さのマストユニット８をマスト組立装置９で下側に継ぎ足して形成するものである。この昇降マスト２には適宜間隔ごとにマストステイ１０が設置され、この先端が搭状構造物６の側面に当接されて昇降マスト２を支持している。
【００１０】
また昇降マスト２の頂部における作業床３は搭状構造物６を囲むようにして設けられ、この作業床３の上面には搭状構造物の頂部を囲むようにして枠組み足場１１が組み立てられ、これに養生メッシュシート１２が貼り付けられている。
【００１１】
また作業床３の上面には、図２に示すように、搭状構造物の頂部より上に突出した支持マスト４がこれを挟んだ位置に対向して立設され、この支持マスト４の一方に旋回梁５が旋回自在に設置されている。この旋回梁５は旋回軸１４を中心に旋回するが、洗浄装置１５を吊り下げ手段１６で煙道１７内に吊り下げる前に、搭状構造物６の平面円形の中央部を横切る位置に旋回させて、その先端部１８を他の昇降マスト２に設置する。なお、旋回梁５は搭状構造物６の平面円形の中央部ではなく、平面円形の一部を横切る位置に旋回させてもよい。
【００１２】
一方、吊り下げ手段１６は旋回梁５に設置された揚重ウインチ１９と、ここから伸びたワイヤーロープ２０とからなり、このワイヤーロープ２０により洗浄装置１５が煙道１７内に吊り下げられている。また揚重ウインチ１９から伸びたワイヤーロープ２０は、旋回梁５の上面側の滑車２１と、旋回梁５の下面側の滑車２２とを介して洗浄装置１５の二つの滑車２３に掛け渡され、この二つの滑車２３を介して旋回梁５の下面に固定されている。よって揚重ウインチ１９のワイヤーロープ２０の巻き取り操作で洗浄装置１５が煙道１７内を上下動するようになっている。
【００１３】
また、この吊り下げ手段１６は上記のものに限らず、旋回梁５に移動自在に取り付けられたホイスト（図示せず）であってもよい。このようなホイストにすると洗浄装置１５を煙道１７内の任意の箇所に吊り下げることができ、かつその吊り下げ箇所を自由に変えることもできる。
【００１４】
次に、上記の揚重梁の設置方法を図３〜図７に基づいて説明する。はじめに、図３に示すように、搭状構造物基部の周囲にマスト組立装置９を二機設置する。これはマストユニット８を継ぎ足して昇降マスト２を形成するものであり、搭状構造物６を挟んだ位置の地盤７に対向して設置する。そして、このマスト組立装置９で複数のマストユニット８を継ぎ足して適宜高さの昇降マスト２を形成する。
【００１５】
次に、この適宜高さの昇降マスト２の頂部に作業床３を搭状構造物６を囲むように形成するとともに、この作業床３の上面における搭状構造物６を挟んだ位置に支持マスト４を対向して立設する。また作業床３の上面に搭状構造物６を囲むようにして枠組み足場１１を組み立て、この枠組み足場１１に養生メッシュシート１２を貼り付ける。
【００１６】
また、一方の昇降マスト２の頂部に旋回軸１４を中心に旋回する旋回梁５を設け、これを搭状構造物６に接触しない位置、すなわち搭状構造物６と平行になる位置に旋回させる。これは昇降マスト２の伸びに伴う作業床３の上昇時に、旋回梁５が搭状構造物６に接触しないようにするためである。
【００１７】
次に、図４に示すように、昇降マスト２にマストユニット８を継ぎ足して作業床３を上昇させるとともに、高く伸びた昇降マスト２にマストステイ１０を設置する。このマストステイ１０は昇降マスト２を搭状構造物６に支持させるものであり、この昇降マスト２の伸びに伴って上側に移動できるように、その先端部が搭状構造物６の側面に突き当てられている。そして、引き続きマスト組立装置９で昇降マスト２にマストユニット８を継ぎ足して、作業床３を搭状構造物の頂部の近傍に上昇させて固定すると、図１に示すようになる。
【００１８】
次に、図５に示すように、一方の支持マスト４における旋回梁５を円形平面の搭状構造物６の中央部を横切るように旋回させて、その先端部を他の支持マスト４の頂部に設置して溶接接合する。このことにより旋回梁５の吊り下げ手段１６によって洗浄装置１５を煙道１７内に吊り下げることができるようになる。
【００１９】
そして、この旋回梁５にホイストやその他の吊り下げ手段１６を設置し、この吊り下げ手段１６に洗浄装置１５を取り付けて煙道１７内に吊り下げる。またこの洗浄装置１５で搭状構造物の内面２４の洗浄をした後、吊り下げ手段１６から洗浄装置１５を撤去し、旋回梁５を元の位置に戻すとともに、昇降マスト２の解体にともなって作業床３を下降させる。
【図面の簡単な説明】
【００２０】
【図１】揚重梁の断面図である。
【図２】作業床の断面図である。
【図３】昇降マストに作業床を取り付ける断面図である。
【図４】（１）は昇降マストを伸ばした断面図、（２）は（１）のＡ−Ａ線断面図である。
【図５】旋回梁を旋回させた平面図である。
【図６】旋回梁の先端部を接合する正面図である。
【符号の説明】
【００２１】
１  揚重梁
２  昇降マスト
３  作業床
４  支持マスト
５  旋回梁
６  搭状構造物
７  地盤
８  マストユニット
９  マスト組立装置
１０  マストステイ
１１  枠組み足場
１２  養生メッシュシート
１４  旋回軸
１５  洗浄装置
１６  吊り下げ手段
１７  煙道
１８  旋回梁の先端部
１９  揚重ウインチ
２０  ワイヤーロープ
２１、２２、２３  滑車
２４  搭状構造物の内面
【図１】
2006090069.tif 000003
【図２】
2006090069.tif 000004
【図３】
2006090069.tif 000005
【図４】
2006090069.tif 000006
【図５】
2006090069.tif 000007
【図６】
2006090069.tif 000008
【手続補正書】
【提出日】平成17年4月18日(2005.4.18)
【手続補正１】
【補正対象書類名】特許請求の範囲
【補正対象項目名】全文
【補正方法】変更
【補正の内容】
【特許請求の範囲】
【請求項１】
中空の塔状構造物の頂部近傍に作業床が設置され、該作業床に支持マストが塔状構造物
の頂部より上に突出し、かつ塔状構造物を挟むようにして対向立設され、この支持マスト
の頂部間には旋回梁が塔状構造物を横切って設置され、該旋回梁が一方の支持マストを中
心に旋回自在であることを特徴とする塔状構造物解体用揚重梁。
【請求項２】
旋回梁にホイストが移動自在に吊り下げられたことを特徴とする請求項１に記載の塔状
構造物解体用揚重梁。
【請求項３】
中空の塔状構造物を挟んだ位置の地盤に昇降マストを対向して組み立て、該昇降マスト
の頂部近傍に作業床を設置し、該作業床の上面に塔状構造物を挟むようにして支持マスト
を対向させて立設し、該支持マストの一方には旋回自在な旋回梁を設置し、該旋回梁を搭
状構造物と接触しない位置に固定した後、前記の昇降マストを上側に伸ばして、作業床を
支持マストが塔状構造物の頂部から突出する位置まで上昇させた後、旋回梁を旋回させて
その先端を他方の支持マストに設置することを特徴とする塔状構造物解体用揚重梁の設置
方法。
【手続補正２】
【補正対象書類名】明細書
【補正対象項目名】全文
【補正方法】変更
【補正の内容】
【発明の詳細な説明】
【技術分野】
【０００１】
本発明は煙突などの塔状構造物解体用揚重梁およびその設置方法に関するものである。
【背景技術】
【０００２】
近年、高層化された煙突などの塔状構造物の内面を洗浄する洗浄装置としては、洗浄作
業者の健康面と安全面を考慮した、特開２００４−１７４３７８号の発明が知られている
。この洗浄装置は内筒空間内に吊り下げられた装置本体と、内筒空間の直径に合わせてリ
ンク長を変更できるサポートリンクアームと、内筒内面を洗浄する洗浄リンクアームとか
ら構成され、この洗浄リンクアーム先端の高圧噴射部から噴射した高圧水で内筒面に付着
した汚染物を除去するものである。
【特許文献１】特開２００４−１７４３７８号公報
【発明の開示】
【発明が解決しようとする課題】
【０００３】
しかし、上記の洗浄装置は装置本体を内筒空間内に地上から大型クレーンで吊り下げて
いたため、任意の箇所に吊り下げることが困難であり、また吊り下げた位置を自由に変え
ることも困難であった。
【０００４】
本発明は、上記のような問題に鑑みてなされたものであり、その目的は、洗浄装置を煙
道内の任意箇所に吊り下げることができ、かつその吊り下げ位置も自由に変えることがで
きる塔状構造物解体用揚重梁およびその設置方法を提供することである。
【課題を解決するための手段】
【０００５】
以上の課題を解決するための塔状構造物解体用揚重梁は、中空の塔状構造物の頂部近傍
に作業床が設置され、該作業床に支持マストが塔状構造物の頂部より上に突出し、かつ搭
状構造物を挟むようにして対向立設され、この支持マストの頂部間には旋回梁が塔状構造
物を横切って設置され、該旋回梁が一方の支持マストを中心に旋回自在であることを特徴
とする。また旋回梁にホイストが移動自在に吊り下げられたことを含むものである。
【０００６】
また塔状構造物解体用揚重梁の設置方法は、中空の塔状構造物を挟んだ位置の地盤に昇
降マストを対向して組み立て、該昇降マストの頂部近傍に作業床を設置し、該作業床の上
面に塔状構造物を挟むようにして支持マストを対向させて立設し、該支持マストの一方に
は旋回自在な旋回梁を設置し、該旋回梁を塔状構造物と接触しない位置に固定した後、前
記の昇降マストを上側に伸ばして、作業床を支持マストが塔状構造物の頂部から突出する
位置まで上昇させた後、旋回梁を旋回させてその先端を他方の支持マストに設置すること
を特徴とする。
【発明の効果】
【０００７】
旋回自在な旋回梁から煙道内に洗浄装置を吊り下げることができるので、該洗浄装置を
煙道内の任意箇所に吊り下げることができ、かつその吊り下げ位置を自由に変えることが
できる。また旋回梁を中空の塔状構造物に接触させずに塔状構造物の頂部まで上げ、これ
を塔状構造物の頂部に上げた後は塔状構造物を跨いで設置することができる。
【発明を実施するための最良の形態】
【０００８】
以下、本発明の塔状構造物解体用揚重梁（以下揚重梁という）の実施の形態を図面に基
づいて説明する。この揚重梁１は、図１に示すように、昇降マスト２の頂部に設置された
作業床３と、この作業床３の上面に立設された支持マスト４と、この支持マスト４の一方
に旋回自在に取り付けられた旋回梁５とから構成されている。
【０００９】
この昇降マスト２は、煙突などの塔状構造物６を挟んだ位置の地盤７に対向して組み立
てられたものであり、適宜長さのマストユニット８をマスト組立装置９で下側に継ぎ足し
て形成するものである。この昇降マスト２には適宜間隔ごとにマストステイ１０が設置さ
れ、この先端が塔状構造物６の側面に当接されて昇降マスト２を支持している。
【００１０】
また昇降マスト２の頂部における作業床３は塔状構造物６を囲むようにして設けられ、
この作業床３の上面には塔状構造物の頂部を囲むようにして枠組み足場１１が組み立てら
れ、これに養生メッシュシート１２が貼り付けられている。
【００１１】
また作業床３の上面には、図２に示すように、塔状構造物の頂部より上に突出した支持
マスト４がこれを挟んだ位置に対向して立設され、この支持マスト４の一方に旋回梁５が
旋回自在に設置されている。この旋回梁５は旋回軸１４を中心に旋回するが、洗浄装置１
５を吊り下げ手段１６で煙道１７内に吊り下げる前に、塔状構造物６の平面円形の中央部
を横切る位置に旋回させて、その先端部１８を他の昇降マスト２に設置する。なお、旋回
梁５は塔状構造物６の平面円形の中央部ではなく、平面円形の一部を横切る位置に旋回さ
せてもよい。
【００１２】
一方、吊り下げ手段１６は旋回梁５に設置された揚重ウインチ１９と、ここから伸びた
ワイヤーロープ２０とからなり、このワイヤーロープ２０により洗浄装置１５が煙道１７
内に吊り下げられている。また揚重ウインチ１９から伸びたワイヤーロープ２０は、旋回
梁５の上面側の滑車２１と、旋回梁５の下面側の滑車２２とを介して洗浄装置１５の二つ
の滑車２３に掛け渡され、この二つの滑車２３を介して旋回梁５の下面に固定されている
。よって揚重ウインチ１９のワイヤーロープ２０の巻き取り操作で洗浄装置１５が煙道１
７内を上下動するようになっている。
【００１３】
また、この吊り下げ手段１６は上記のものに限らず、旋回梁５に移動自在に取り付けら
れたホイスト（図示せず）であってもよい。このようなホイストにすると洗浄装置１５を
煙道１７内の任意の箇所に吊り下げることができ、かつその吊り下げ箇所を自由に変える
こともできる。
【００１４】
次に、上記の揚重梁の設置方法を図３〜図７に基づいて説明する。はじめに、図３に示
すように、塔状構造物基部の周囲にマスト組立装置９を二機設置する。これはマストユニ
ット８を継ぎ足して昇降マスト２を形成するものであり、塔状構造物６を挟んだ位置の地
盤７に対向して設置する。そして、このマスト組立装置９で複数のマストユニット８を継
ぎ足して適宜高さの昇降マスト２を形成する。
【００１５】
次に、この適宜高さの昇降マスト２の頂部に作業床３を塔状構造物６を囲むように形成
するとともに、この作業床３の上面における塔状構造物６を挟んだ位置に支持マスト４を
対向して立設する。また作業床３の上面に塔状構造物６を囲むようにして枠組み足場１１
を組み立て、この枠組み足場１１に養生メッシュシート１２を貼り付ける。
【００１６】
また、一方の昇降マスト２の頂部に旋回軸１４を中心に旋回する旋回梁５を設け、これ
を塔状構造物６に接触しない位置、すなわち塔状構造物６と平行になる位置に旋回させる
。これは昇降マスト２の伸びに伴う作業床３の上昇時に、旋回梁５が塔状構造物６に接触
しないようにするためである。
【００１７】
次に、図４に示すように、昇降マスト２にマストユニット８を継ぎ足して作業床３を上
昇させるとともに、高く伸びた昇降マスト２にマストステイ１０を設置する。このマスト
ステイ１０は昇降マスト２を塔状構造物６に支持させるものであり、この昇降マスト２の
伸びに伴って上側に移動できるように、その先端部が塔状構造物６の側面に突き当てられ
ている。そして、引き続きマスト組立装置９で昇降マスト２にマストユニット８を継ぎ足
して、作業床３を塔状構造物の頂部の近傍に上昇させて固定すると、図１に示すようにな
る。
【００１８】
次に、図５に示すように、一方の支持マスト４における旋回梁５を円形平面の塔状構造
物６の中央部を横切るように旋回させて、その先端部を他の支持マスト４の頂部に設置し
て溶接接合する。このことにより旋回梁５の吊り下げ手段１６によって洗浄装置１５を煙
道１７内に吊り下げることができるようになる。
【００１９】
そして、この旋回梁５にホイストやその他の吊り下げ手段１６を設置し、この吊り下げ
手段１６に洗浄装置１５を取り付けて煙道１７内に吊り下げる。またこの洗浄装置１５で
塔状構造物の内面２４の洗浄をした後、吊り下げ手段１６から洗浄装置１５を撤去し、旋
回梁５を元の位置に戻すとともに、昇降マスト２の解体にともなって作業床３を下降させ
る。
【図面の簡単な説明】
【００２０】
【図１】揚重梁の断面図である。
【図２】作業床の断面図である。
【図３】昇降マストに作業床を取り付ける断面図である。
【図４】（１）は昇降マストを伸ばした断面図、（２）は（１）のＡ−Ａ線断面図である。
【図５】旋回梁を旋回させた平面図である。
【図６】旋回梁の先端部を接合する正面図である。
【符号の説明】
【００２１】
１  揚重梁
２  昇降マスト
３  作業床
４  支持マスト
５  旋回梁
６  塔状構造物
７  地盤
８  マストユニット
９  マスト組立装置
１０  マストステイ
１１  枠組み足場
１２  養生メッシュシート
１４  旋回軸
１５  洗浄装置
１６  吊り下げ手段
１７  煙道
１８  旋回梁の先端部
１９  揚重ウインチ
２０  ワイヤーロープ
２１、２２、２３  滑車
２４  塔状構造物の内面